(57)【要約】 【課題】  レバーの装着作業を良好なものとしてレバーの抜脱を阻止する。【解決手段】  コネクタハウジング１０の支軸１３の先端側には、アーム部２２における係合凹部２６の底面に係合可能とされる補助つば部１４とこの補助つば部１４よりもアーム部２２に対する掛り代を増大させた主つば部１５とが張り出し形成されている。レバー２０をコネクタハウジング１０に装着する際、レバー２０の軸孔２４に補助つば部１４を貫通させるとともにレバー２０の通し孔２５に主つば部１５を貫通させることで、支軸１３が割り溝１３Ａを介して縮径変形して軸孔２４に嵌合される。【選択図】  図１
2005071719.tif 000002
【特許請求の範囲】
【請求項１】
コネクタハウジングと、操作部の両側に一対のアーム部を突出させたレバーとを備え、前記コネクタハウジングの外側面に前記アーム部を対応させるとともに、前記アーム部に形成した軸孔を前記コネクタハウジングに設けた支軸に嵌合させることで前記レバーを前記コネクタハウジングに回動可能に支持し、相手側コネクタの外側面に突設されたカムピンを、前記アーム部に形成したカム溝に係合させた状態で前記レバーを回動させることで、前記カム溝と前記カムピンとの係合によるカム作用により、前記相手側コネクタを引き込んで嵌合状態とするようにしたレバー式コネクタにおいて、
前記支軸には、その先端面から軸方向へ割り溝が切り込み形成され、
前記支軸の先端側には、前記アーム部における軸孔の口縁に係合可能とされる補助つば部とこの補助つば部よりも前記アーム部に対する掛り代を増大させた主つば部とが張り出し形成され、
前記アーム部において前記レバーの回動途中で前記主つば部が通過する位置には、前記軸孔と連通して通し孔が形成されており、
前記レバーを前記コネクタハウジングに装着する際、前記支軸の弾性的な縮径変形を伴いつつ、前記軸孔に前記補助つば部を貫通させるとともに前記通し孔に前記主つば部を貫通させることで、前記補助つば部が前記アーム部における軸孔の口縁に掛け止め可能となっていることを特徴とするレバー式コネクタ。
【請求項２】
前記割り溝は、前記支軸の突出寸法よりも短い深さをもって切り込み形成されていることを特徴とする請求項１に記載のレバー式コネクタ。    
【請求項３】
前記主つば部は、前記コネクタハウジングの外側面のうち前記一対のアーム部と対応する各面において、互いに異形であるか、もしくは同形であっても前記支軸の周方向に関する形成位置を互いに異ならせて配設されていることを特徴とする請求項１または２に記載のレバー式コネクタ。
【発明の詳細な説明】
【技術分野】
【０００１】
本発明は、レバー式コネクタに関する。
【背景技術】
【０００２】
レバー式コネクタとしては、以下の特許文献１に記載のものが知られている。このものは、図１０に示すように、互いに嵌合可能な雌雄の両コネクタ１，２を備え、このうち雌型コネクタ１のコネクタハウジング３にはレバー４が支軸５を中心として回動可能に装着されている。レバー４は、操作部６とその両端から延出された一対のアーム部７とにより全体として門型に形成され、アーム部７には、支軸５に対する図示しない軸孔及びカム溝が形成されている。一方、雄型コネクタ２にはカムピン８が突設されており、両コネクタ１，２を嵌合する際には、レバー４を初期位置にセットして雄型コネクタ２のカムピン８をレバー４のカム溝に臨ませ、その状態からレバー４を正規嵌合位置へ向けて回動操作することによりレバー４と雄型コネクタ２との間のカム作用に基づいて両コネクタ１，２を互いに引き寄せて嵌合状態としている。
【０００３】
両コネクタ１，２を嵌合させる過程でレバー４には大きな嵌合抵抗が生じるため、アーム部７が両側外方へ拡開してしまうことがあり、場合によってはアーム部７が支軸５から外れる懸念がある。こうした不都合を解消すべく、図１１に示すように、支軸５の先端外周面にはフランジ部５Ａが張り出し形成されており、このフランジ部５Ａによりアーム部７が支軸５から外れないようにしてある。また、支軸５の先端面には割り溝５Ｂが形成されており、レバー４をコネクタハウジング３に装着する際、支軸５の先端面をアーム部７の軸孔へ押し込み気味に圧入することで、支軸５が割り溝５Ｂを介して弾性的に縮径変形しつつ軸孔に嵌合可能としてある。
【特許文献１】特開平８−１６７４４８号公報
【発明の開示】
【発明が解決しようとする課題】
【０００４】
ところが、上記の場合には、フランジ部５Ａがアーム部７に対して充分な掛り代をもって係止されておらずしかも支軸５が弾性的に縮径変形可能となっているから、レバー４の回動操作中にレバー４に生じる嵌合抵抗によってフランジ部５Ａとアーム部７との係合が解かれ、もってアーム部７が支軸５から外れる懸念がある。こうした事態を回避するには、フランジ部５Ａの張り出し寸法を大きくしてアーム部７に対する掛り代を増大させればよいわけであるが、そうすると、レバー４の装着時にフランジ部５Ａがアーム部７と強く干渉してアーム部７の軸孔への挿入が規制されてしまうから、レバー４装着時における作業負担が大きくなる。
本発明は上記のような事情に基づいて完成されたものであって、レバーの装着作業を良好なものとしてレバーの抜脱を阻止することを目的とする。
【課題を解決するための手段】
【０００５】
上記の目的を達成するための手段として、請求項１の発明は、コネクタハウジングと、操作部の両側に一対のアーム部を突出させたレバーとを備え、前記コネクタハウジングの外側面に前記アーム部を対応させるとともに、前記アーム部に形成した軸孔を前記コネクタハウジングに設けた支軸に嵌合させることで前記レバーを前記コネクタハウジングに回動可能に支持し、相手側コネクタの外側面に突設されたカムピンを、前記アーム部に形成したカム溝に係合させた状態で前記レバーを回動させることで、前記カム溝と前記カムピンとの係合によるカム作用により、前記相手側コネクタを引き込んで嵌合状態とするようにしたレバー式コネクタにおいて、前記支軸には、その先端面から軸方向へ割り溝が切り込み形成され、前記支軸の先端側には、前記アーム部における軸孔の口縁に係合可能とされる補助つば部とこの補助つば部よりも前記アーム部に対する掛り代を増大させた主つば部とが張り出し形成され、前記アーム部において前記レバーの回動途中に前記主つば部が通過する位置には、前記軸孔と連通して通し孔が形成されており、前記レバーを前記コネクタハウジングに装着する際、前記支軸の弾性的な縮径変形を伴いつつ、前記軸孔に前記補助つば部を貫通させるとともに前記通し孔に前記主つば部を貫通させることで、前記補助つば部が前記アーム部における軸孔の口縁に掛け止め可能となっている構成としたところに特徴を有する。
【０００６】
請求項２の発明は、請求項１に記載のものにおいて、前記割り溝は、前記支軸の突出寸法よりも短い深さをもって切り込み形成されているところに特徴を有する。
【０００７】
請求項３の発明は、請求項１または請求項２に記載のものにおいて、前記主つば部は、前記コネクタハウジングの外側面のうち前記一対のアーム部と対応する各面において、互いに異形であるか、もしくは同形であっても前記支軸の周方向に関する形成位置を互いに異ならせて配設されているところに特徴を有する。
【発明の効果】
【０００８】
＜請求項１の発明＞
支軸の先端側には補助つば部とそれよりもアーム部との掛り代を増大させた主つば部とが張り出し形成されていることで、レバーの回動操作中にレバ−に大きな嵌合抵抗が生じても、主つば部にアーム部が係止されてアーム部の拡開が規制されるようになっているから、レバーがコネクタハウジングから外れることがない。また、レバーの回動途中で主つば部が通し孔を通過するため、瞬間的にレバーの抜脱が懸念されるところであるが、本発明においては、この通過時に補助つば部がアーム部における軸孔の口縁と係合可能な状態にあるから、該通過時においてもレバーがコネクタハウジングから外れることがない。さらに、支軸の弾性的な縮径変形を伴いつつ、補助つば部を軸孔に貫通させるとともに主つば部を通し孔に貫通させることで、補助つば部が軸孔の口縁に掛け止め可能となっているから、主つば部をアーム部側と強く干渉させることなくレバーをコネクタハウジングに取り付けることができ、レバー装着時の作業負担を軽減できる。
【０００９】
＜請求項２の発明＞
割り溝が支軸の突出寸法とほぼ同じ深さをもって切り込み形成されている場合には、支軸が縮径変形し易くなるから、主つば部が通し孔を通過する瞬間にレバーがコネクタハウジングから外れる可能性が多少ともある。しかるに本発明においては、割り溝が支軸の突出寸法よりも短い深さをもって切り込み形成されているから、支軸の過剰な縮径変形を抑制してレバーの抜脱を確実に阻止することができる。
【００１０】
＜請求項３の発明＞
主つば部は、コネクタハウジングの外側面のうち一対のアーム部と対応する各面において互いに異形であるか、もしくは同形であっても支軸の周方向に関する形成位置を互いに異ならせて配設されているから、レバーがコネクタハウジングに対して正規姿勢と反対姿勢で誤組付けされる事態を阻止することができる。
【発明を実施するための最良の形態】
【００１１】
本発明の実施形態を図１ないし図８によって説明する。
本実施形態に係るレバー式コネクタは、雌型端子金具（図示せず）を収容する雌コネクタに適用するものであり、合成樹脂製のコネクタハウジング１０と、同じく合成樹脂製のレバー２０とを備えている。このレバー式コネクタの嵌合相手となる雄コネクタ５０は、内部に雄型端子金具（図示せず）を収容するものであって、前方に突出する角筒状のフード部５１を有し、このフード部５１の外側面には、一対のカムピン５２が突設されている。なお、以下の説明においてレバー式コネクタの前後方向については、相手側となる雄コネクタ５０との嵌合面側を前側とする。
【００１２】
コネクタハウジング１０は、雌型端子金具を収容するための複数のキャビティ（図示せず）が形成されたブロック状のハウジング本体１１と、このハウジング本体１１の後面に組み付けられた電線カバー１２とを備えて構成されている。この電線カバー１２は、前面と一側面が開口する略箱形に形成されている。ハウジング本体１１の後面からは一端に雌型端子金具を圧着した多数の電線（図示せず）が引き出され、引き出された電線群は、電線カバー１２内にて一側方へ折り曲げられ、その状態で電線カバー１２の一側面から導出されるようになっている。雌雄の両コネクタが嵌合されると、コネクタハウジング１０のうちハウジング本体１１のほぼ全体が、相手側となる雄コネクタ５０のフード部５１に内嵌されるようになっている。
【００１３】
コネクタハウジング１０の電線カバー１２の各側面（本発明のコネクタハウジング１０の外側面のうち一対のアーム部２２と対応する各面）には、レバー２０を回動可能に支持するための支軸１３が突設されている。支軸１３は、図３の（Ａ）及び（Ｂ）に示すように、その先端面から軸方向へ切り込まれた割り溝１３Ａによって分断されることで、この割り溝１３Ａを挟んだ両側に一対の分割片１３Ｂを配してなり、各分割片１３Ｂが割り溝１３Ａ側へ倒れ込むことで、溝幅を狭める方向への弾性的な縮径変形が可能とされている。この割り溝１３Ａは、断面略Ｕ字状をなし、支軸１３の突出寸法の概ね４分の３程度の深さで、且つ、支軸１３の根元部分の直径の概ね４分の１程度の溝幅をもって切り込み形成されている。
【００１４】
また、各分割片１３Ｂのうち図３の（Ａ）に示す割り溝１３Ａの下側に配されたものの突出方向の先端側には、その外周縁の全縁から軸方向とほぼ直交する方向へ僅かに張り出すように略半円状の補助つば部１４が形成されている。補助つば部１４は、後述するアーム部２２に設けられた軸孔２４の口縁に常時掛け止め可能とされており、この口縁と係合する内側面が平坦面とされる一方、その先端面が面取りされて軸孔２４への挿通が容易となるようにしてある。
【００１５】
また、各分割片１３Ｂのうち図３の（Ａ）に示す割り溝１３Ａの上側に配されたものの突出方向の先端側には、その外周縁の一部から軸方向及び割り溝１３Ａの長さ方向の双方とほぼ直交する方向へ突出するようにして主つば部１５が形成されている。この主つば部１５は、方形板状に形成され、その張り出し寸法が補助つば部１４よりも大幅に増大されている。
そして、主つば部１５は、図８に示すように、電線カバー１２の各側面において支軸１３の周方向に関する形成位置を互いに異ならせて配設されており、図示する場合には、一方の側面に配された主つば部１５が下方を向いて突出するとともに（図８の左側面、図２の（Ａ）を参照）、他方の側面に配された主つば部１５が上方を向いて突出するようにしてある（図８の右側面、図２の（Ｂ）を参照）。支軸１３は、後述するように、レバー２０の軸孔２４に嵌合されることで、レバー２０のコネクタハウジング１０に対する装着を可能としているから、上記のように主つば部１５が電線カバー１２の各側面において非対称な関係にあると、レバー２０を誤って正規姿勢と反対姿勢でコネクタハウジング１０に組み付けてしまう事態を回避できる。
【００１６】
続いてレバー２０について説明する。このレバー２０は、図８に示すように、横方向に長く延出された操作部２１とこの操作部２１の両端から互いにほぼ平行に延出された一対のアーム部２２とからなり、全体として門型に形成されている。各アーム部２２には、相手側となる雄コネクタ５０のカムピン５２と係合可能なカム溝２３が形成されている。
【００１７】
各アーム部２２のほぼ中心には、図５の（Ａ）及び（Ｂ）に示すように、円形に開口する軸孔２４と、この軸孔２４と連通しかつほぼ軸直交方向に延出されて方形状に開口する通し孔２５とが設けられている。軸孔２４の内径は支軸１３の根元側の外径とほぼ同一かもしくは僅かに大径とされ、通し孔２５は主つば部１５の外縁にほぼ沿った形態とされている。また、各アーム部２２の外側面には、軸孔２４及び通し孔２５と連通するとともに軸孔２４と通し孔２５とを合わせた径寸法よりも大径とされた係合凹部２６が軸孔２４と同心状に開口形成されている。
【００１８】
レバー２０は、支軸１３の弾性的な縮径変形を伴いつつ、軸孔２４に補助つば部１４を圧入気味に貫通させるとともに通し孔２５に主つば部１５を貫通させ、補助つば部１４を係合凹部２６の底面（本発明の軸孔２４の口縁）に係止させることによってコネクタハウジング１０に回動可能に支持される。このとき、主つば部１５を通し孔２５に適合させた状態で補助つば部１４を軸孔２４に押し込むようにすれば、支軸１３を軸孔２４に容易に嵌合させることができる。コネクタハウジング１０に装着されたレバー２０は、操作部２１が電線カバー１２の後面に当接する初期位置（図２の（Ａ）及び（Ｂ）に示す状態）と、操作部２１が電線カバー１２の一側面に当接する嵌合位置（図６の（Ａ）及び（Ｂ）に示す状態）との間で、支軸１３を支点として回動するようになっている。
【００１９】
次に、本実施形態の作用を説明する。
まず、レバー２０を電線カバー１２の後部に跨らせるようにしてコネクタハウジング１０に取付け、初期位置に保持させる。このとき、支軸１３には割り溝１３Ａが形成されており、この割り溝１３Ａを狭める方向へ支軸１３が弾性的に縮径変形され、しかも支軸１３の先端側に張り出し形成された主つば部１５は通し孔２５によって逃されるから、レバー２０の装着作業に難渋することはない。
【００２０】
続いて、両コネクタの嵌合するには、まず、コネクタハウジング１０のハウジング本体１１に対して雄コネクタ５０のフード部５１を緩く嵌合させて、雄コネクタ５０のカムピン５２をレバー２０のカム溝２３に少し進入させる（図２の（Ａ）及び（Ｂ）を参照）。この状態から操作部２１を摘んでレバー２０を嵌合位置側へ向けて回動させる。レバー２０の回動に伴いカムピン５２がカム溝２３を移動することでレバー２０と雄コネクタ５０との間にカム作用が発揮され、もって雄コネクタ５０がコネクタハウジング１０側へ引き込まれる。
【００２１】
レバー２０が初期位置から嵌合位置に至るまでの間、主つば部１５及び通し孔２５の双方は、回動半ば過ぎの一瞬だけ整合するもののあとは非整合な状態にある（図３の（Ａ）及び（Ｂ）、図７の（Ａ）及び（Ｂ）を参照）。したがって、嵌合時における嵌合抵抗によってレバー２０のアーム部２２が両側外方へ拡開しようとしても、主つば部１５がアーム部２２における係合凹部２６の底面に係合してアーム部２２の拡開を規制するため、レバー２０がコネクタハウジング１０から外れる事態を回避できる。もっとも、主つば部１５が通し孔２５上を通過する一瞬だけ主つば部１５のアーム部２２に対する係合が解かれることとなるが、かかる場合であっても、補助つば部１４がアーム部２２における係合凹部２６の底面に係合可能な状態にあるから、レバー２０がコネクタハウジング１０から外れることはない（図５の（Ａ）及び（Ｂ）を参照）。
【００２２】
レバー２０が嵌合位置に達すると、カムピン５２がカム溝２３の後端に配され、もって両コネクタが正規深さまで嵌合されて両コネクタ内に収容された雌雄の両端子金具の接続がとられる（図６の（Ａ）及び（Ｂ）を参照）。
【００２３】
上述のように本実施形態によれば、支軸１３の先端側に補助つば部１４とそれよりもアーム部２２との掛り代を増大させた主つば部１５とが張り出し形成されていることで、レバー２０の回動操作中にレバ−２０に大きな嵌合抵抗が生じても、アーム部２２が主つば部１５に係止されてアーム部２２の拡開が規制されるようになっているから、レバー２０がコネクタハウジング１０から外れる事態を回避できる。また、レバー２０の回動途中で、主つば部１５が通し孔２５を通過する瞬間に、補助つば部２４がアーム部２２における係合凹部２６の底面と係合可能な状態にあるから、この通過時においてもレバー２０がコネクタハウジング１０から外れることがない。
【００２４】
また、支軸１３の弾性的な縮径変形を伴いつつ補助つば部１４を軸孔２４に貫通させるとともに主つば部１５を通し孔２５に貫通させることで、支軸１３が軸孔２４に嵌合可能となっているから、主つば部１５をアーム部２２側と強く干渉させることなくレバー２０をコネクタハウジング１０に取付けることができる。
【００２５】
さらに、割り溝１３Ａが支軸１３の突出寸法よりも短い深さをもって切り込み形成されているから、支軸１３の過剰な縮径変形が抑制されてレバー２０がコネクタハウジング１０から外れる事態を一層確実に回避できる。すなわち、割り溝１３Ａが支軸１３の突出寸法とほぼ同じ深さをもって切り込み形成されている場合には、支軸１３が縮径変形し易くなるから、主つば部１５が通し孔２５を通過する瞬間に、レバー２０がコネクタハウジング１０から外れる可能性が多少ともあるが、本実施形態においてはそうした懸念をも払拭することができる。
さらにまた、主つば部１５は、コネクタハウジング１０の電線カバー１２の各面において支軸１３の周方向に関する形成位置を互いに異ならせて配設されているから、レバー２０がコネクタハウジング１０に対して正規姿勢と反対姿勢で誤組付けされることがない。
【００２６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２７】
（１）本発明においては、図９の（Ａ）及び（Ｂ）に示すように、支軸１３のうち割り溝１３Ａを挟んで一方（図示する上方）に配された分割片１３Ｂのみに、主つば部１５と補助つば部１４とが連続して形成される態様であっても構わない。さらに、一方ばかりでなく他方（図示する下方）に配された分割片１３Ｂにも補助つば部１４が形成される態様であっても構わない。
【００２８】
（２）本発明において割り溝は、支軸の先端面から一直線上に切り込み形成されるものに限らず、例えば、支軸の先端面から十字形に切り込み形成されていても構わない。
（３）本発明において主つば部は、コネクタハウジングの電線カバーの各面において互いに異形となっていても構わない。これによっても、レバーの誤組付け防止を図れる。
（４）本発明において軸孔は、アーム部の外側面に係合凹部を介することなく直接に開口形成されていても構わない。
【図面の簡単な説明】
【００２９】
【図１】（Ａ）本発明の実施形態に係るレバー式コネクタの嵌合前の状態を示す左側面図  （Ｂ）その右側面図
【図２】（Ａ）レバーが初期位置に保持された状態を示す左側面図  （Ｂ）その右側面図
【図３】（Ａ）図２の（Ｂ）において支軸を拡大した左側面図  （Ｂ）その断面図
【図４】（Ａ）主つば部が通し孔を通過する瞬間の状態を示す左側面図  （Ｂ）その右側面図
【図５】（Ａ）図４の（Ｂ）において支軸を拡大した左側面図  （Ｂ）その断面図
【図６】（Ａ）レバーが嵌合位置に保持された状態を示す左側面図  （Ｂ）その右側面図
【図７】（Ａ）図６の（Ｂ）において支軸を拡大した左側面図  （Ｂ）その断面図
【図８】レバーを初期位置に保持したコネクタハウジングの正面図
【図９】（Ａ）本発明の他の実施形態における図５の（Ａ）相当図  （Ｂ）その断面図
【図１０】従来のレバー式コネクタの嵌合前の状態を示す斜視図
【図１１】支軸を拡大した斜視図
【符号の説明】
【００３０】
１０…コネクタハウジング
１３…支軸
１３Ａ…割り溝
１４…補助つば部
１５…主つば部
２０…レバー
２１…操作部
２２…アーム部
２３…カム溝
２４…軸孔
２５…通し孔
２６…係合凹部
５０…雄コネクタ
５２…カムピン
【図１】
2005071719.tif 000003
【図２】
2005071719.tif 000004
【図３】
2005071719.tif 000005
【図４】
2005071719.tif 000006
【図５】
2005071719.tif 000007
【図６】
2005071719.tif 000008
【図７】
2005071719.tif 000009
【図８】
2005071719.tif 000010
【図９】
2005071719.tif 000011
【図１０】
2005071719.tif 000012
【図１１】
2005071719.tif 000013